(57)【要約】【課題】  電話帳メモリに記憶されている相手先の情報を他人に見られないようにすることができるだけでなく、着信履歴を見る際にはだれから着信が来たかをユーザが一目で分かることができる電話装置を提供する。【解決手段】  着信履歴を表示し相手先を選択すると（Ｓ１〜Ｓ５ステップ）、暗証番号の入力指示操作があり、正しい暗証番号の入力があると、着信履歴からの発信制限を解除する画面になる（Ｓ６〜Ｓ９ステップ）。続いて、選択した着信履歴の相手先の氏名と電話番号が表示され、発信操作があると、選択された相手先に発信される（Ｓ１０からＳ１２ステップ）。【選択図】  図１０
2008131136.tif 000002
【特許請求の範囲】
【請求項１】
相手先の電話番号と氏名を対応付けて複数格納する電話帳と、着信履歴を記憶可能な電話装置であり、
前記電話帳に記憶されている情報の表示を禁止している状態で、着信履歴を表示する際には、発呼側の電話番号の表示を禁止することを特徴とする電話装置。
【請求項２】
相手先の電話番号と氏名を対応付けて複数格納する電話帳と、着信履歴を記憶可能な電話装置であり、
前記電話帳に記憶されている情報の表示を禁止している状態で、着信履歴を表示する際には、発呼側の電話番号の表示を禁止すると共に発呼側の氏名を表示することを特徴とする電話装置。
【請求項３】
相手先の電話番号と氏名を対応付けて複数格納する電話帳と、着信履歴を記憶可能な電話装置であり、
前記電話帳に記憶されている情報の表示を禁止している状態で、着信履歴を表示する際には、発呼側の電話番号の表示を禁止すると共に発呼側のあだ名を表示することを特徴とする電話装置。
【請求項４】
相手先の電話番号と氏名を対応付けて複数格納する電話帳と、着信履歴を記憶可能な電話装置であり、
前記電話帳に記憶されている情報の表示を禁止している状態で、着信履歴を表示する際には、発呼側の電話番号の表示を禁止すると共に発呼側の氏名の内、名字のみを表示することを特徴とする電話装置。
【請求項５】
請求項１〜４記載の電話装置であり、
前記発呼側の電話番号の表示を禁止している状態で、着信履歴の相手先の選択の後に発呼操作があると、当該発呼操作を禁止すると共に暗証番号の入力指示を示す画面を表示し、予め定められた暗証番号が入力されると、前記選択された相手先への発呼操作を可能とすることを特徴とする電話装置。
【請求項６】
請求項１〜５記載の電話装置であり、
前記発呼側の電話番号の表示を禁止している状態で、着信履歴の相手先の選択の後に発呼操作があると、当該発呼操作を禁止すると共に暗証番号の入力指示を示す画面を表示し、予め定められた暗証番号が入力されると、着信履歴の相手先の電話番号の表示を可能とすることを特徴とする電話装置。
【請求項７】
相手先の電話番号と氏名を対応付けて複数格納する電話帳と、着信履歴を記憶可能な電話装置であり、
前記電話帳に記憶されている情報の表示を禁止している状態で、着信履歴を表示し選択された相手先への発呼操作があると、前記選択された相手先への発呼を禁止することを特徴とする電話装置。
【発明の詳細な説明】
【技術分野】
【０００１】
本発明は、携帯電話等の電話装置に関する。
【背景技術】
【０００２】
現在市販されている携帯電話のような電話装置には、電話装置内の電話帳メモリに記憶されている情報を他人に見られないようにする機能がある。この機能をオンとすると、他人が電話帳メモリに記憶されている情報を見ようとした際に４桁の暗証番号の入力指示画面が表示され、正規の暗証番号を入力しなければ電話帳メモリに記憶されている情報を見ることができない。
【０００３】
又、現在市販されている携帯電話の中には、上述したように、電話帳メモリに記憶されている情報を他人に見られないようにする機能を有するだけでなく、この機能をオンとした際に電話発信履歴と電話着信履歴の相手先の名前を表示できないようにする機能を有するものもある（例えば、京セラ製携帯電話Ｗ４２Ｋ等）。この場合、着信履歴又は発信履歴を表示する際に、相手先の名前は表示されないが電話番号が表示される。
【０００４】
更に、このような電話帳メモリに記憶されている情報を他人に見られないようにする為の技術が数多く提案されており、例えば特許文献１には、電話帳メモリに記憶されている情報を特定の期間、曜日、時間には表示しないようにする技術が開示されている。
【特許文献１】特開２００４−２３６３５０号公報
【発明の開示】
【発明が解決しようとする課題】
【０００５】
上述したように、現在市販されている電話装置において、電話帳メモリを他人に見られないようにする機能をオンした状態で発信履歴又は着信履歴を表示する際に、相手先の電話番号しか表示されなければ（氏名が表示されなければ）、だれに発信したか又はだれから着信があったかユーザはわからない。このような場合、ユーザが電話帳メモリに記憶されている相手先の電話番号がだれの電話番号であるかを記憶していれば良いが、相手先が数十件ともなると現実的ではない。
【０００６】
又、発信履歴や着信履歴で電話番号が表示されれば、その相手先に電話をかけることが可能である為、他人が電話をかけて相手先から名前を聞き出すことも可能である。
【課題を解決するための手段】
【０００７】
本願発明は、このような課題を解決する為のものであり、電話帳メモリに記憶されている相手先の情報を他人に見られないようにするだけでなく、発信や着信はだれから来たかをユーザが一目で分かるようにする電話装置を提供することにある。
請求項１記載の電話装置は、相手先の電話番号と氏名を対応付けて複数格納する電話帳と、着信履歴を記憶可能な電話装置であり、前記電話帳に記憶されている情報の表示を禁止している状態で、着信履歴を表示する際には、発呼側の電話番号の表示を禁止することを特徴とする。
請求項２記載の電話装置は、相手先の電話番号と氏名を対応付けて複数格納する電話帳と、着信履歴を記憶可能な電話装置であり、前記電話帳に記憶されている情報の表示を禁止している状態で、着信履歴を表示する際には、発呼側の電話番号の表示を禁止すると共に発呼側の氏名を表示することを特徴とする。
請求項３記載の電話装置は、相手先の電話番号と氏名を対応付けて複数格納する電話帳と、着信履歴を記憶可能な電話装置であり、前記電話帳に記憶されている情報の表示を禁止している状態で、着信履歴を表示する際には、発呼側の電話番号の表示を禁止すると共に発呼側のあだ名を表示することを特徴とする。
請求項４記載の電話装置は、相手先の電話番号と氏名を対応付けて複数格納する電話帳と、着信履歴を記憶可能な電話装置であり、前記電話帳に記憶されている情報の表示を禁止している状態で、着信履歴を表示する際には、発呼側の電話番号の表示を禁止すると共に発呼側の氏名の内、名字のみを表示することを特徴とする。
請求項５記載の電話装置は、請求項１〜４記載の電話装置であり、前記発呼側の電話番号の表示を禁止している状態で、着信履歴の相手先の選択の後に発呼操作があると、当該発呼操作を禁止すると共に暗証番号の入力指示を示す画面を表示し、予め定められた暗証番号が入力されると、前記選択された相手先への発呼操作を可能とすることを特徴とする。
請求項６記載の電話装置は、請求項１〜５記載の電話装置であり、前記発呼側の電話番号の表示を禁止している状態で、着信履歴の相手先の選択の後に発呼操作があると、当該発呼操作を禁止すると共に暗証番号の入力指示を示す画面を表示し、予め定められた暗証番号が入力されると、着信履歴の相手先の電話番号の表示を可能とすることを特徴とする。
請求項７記載の電話装置は、相手先の電話番号と氏名を対応付けて複数格納する電話帳と、着信履歴を記憶可能な電話装置であり、前記電話帳に記憶されている情報の表示を禁止している状態で、着信履歴を表示し選択された相手先への発呼操作があると、前記選択された相手先への発呼を禁止することを特徴とする。
【発明の効果】
【０００８】
本発明の電話装置によると、電話帳メモリに記憶されている相手先の情報を他人に見られないようにすることができるだけでなく、着信履歴を見る際にはだれから着信が来たかをユーザが一目で分かることができる。
【発明を実施するための最良の形態】
【０００９】
次に、本発明の一実施形態に係る電話装置（携帯電話装置）について、図面を参照して説明する。
【００１０】
図１は本実施例装置を開いた図である。本実施例装置は図１に示すように折畳式の携帯電話装置であり、２つの筐体部分がヒンジ部を介して接続されている。又、一方の筐体にはディスプレイ４２が、片方の筐体には入力部４４が搭載されている。
【００１１】
図２に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。
【００１２】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００１３】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００１４】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００１５】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００１６】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００１７】
また、通信部１２、ベースバンド部１４、切替回路２２には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６には、ＲＯＭ３８が接続されており、ＲＯＭ３８に格納されているシステムプログラムに基づき各部を制御する。
【００１８】
また、制御回路３６には、入力部４４が接続されている。この入力部４４は、図示していないが、テンキー、通話キー、切キー、カーソル移動等に用いられる十字キー、決定キー、クリアキー等を有している。
【００１９】
ＲＡＭ４０には、相手先の氏名と電話番号を対で複数記憶する、所謂電話帳メモリの機能を有している。又、着信履歴や発信履歴の情報も記憶しており、例えば着信履歴では、着信時に受信した電話番号と着信日付や時刻を対で複数格納している。尚、電話帳としては、相手先の氏名だけでなく、誕生日、あだ名、よみがな、Ｅメールアドレス等も相手先の電話番号に対応付けて格納可能である。
【００２０】
次に本実施例装置の動作について以下に説明する。図３〜図９は、ディスプレイ４２の表示形態を示す図である。
【００２１】
まず、待ちうけの状態でユーザが入力部４４の特定のキーを押下することにより、図３に示す画面にディスプレイ４４の表示が切り替わる。
図３に示す画面では、複数の項目が表示されており、上から順に、「メール」、「フォルダ」、「ｅｚｗｅｂ」、「アクセサリ」、「カメラ」、「機能」、「履歴」、「電話帳」、「カレンダー」が表示されている。
【００２２】
「メール」の項目は、メールの作成及び送信、受信メール及び送信メールの閲覧等をする為の項目である。「フォルダ」の項目は、電話装置に格納されている画像データ、音楽データ等の閲覧や削除等をする為の項目である。
「ｅｚｗｅｂ」の項目は、インターネットと接続するための項目である。「アクセサリ」の項目は、アラームの設定や電卓等の機能を実行するための項目である。
「カメラ」の項目は、カメラ機能を実行するための項目である。「機能」の項目は、着信音の設定、表示文字サイズの設定、暗証番号の設定、電話帳表示の機能のオンオフ設定等の各種設定を行う為の項目である。
「履歴」の項目は、着信履歴と発信履歴の一覧を表示する為の項目である。「電話帳」の項目は、電話帳メモリに記憶されている情報の編集や閲覧のための項目である。「カレンダー」の項目は、カレンダーの表示やカレンダーに記載する予定を編集する為の項目である。
まずユーザが「機能」の項目を選択し、電話帳の表示機能をオフとする（この状態にすると、ユーザは、予め定められた４桁の暗証番号を入力しない限り、電話帳の内容を見ることができない）。
この状態で、ユーザが「電話帳」の項目を選択すると、図４に示す表示画面にディスプレイ４４の表示が切り替わる。図４では、ユーザに暗証番号の入力を促すメッセージ(例えば、電話帳制限されています。暗証番号を入力して下さい。)が表示される。この時、ユーザが予め定められた正しい４桁の暗証番号を入力すると、ユーザは、電話帳メモリに格納されている内容を見ることができる。
【００２３】
一方、電話帳の表示機能をオフとした状態で、ユーザが図３に示す「履歴」の項目を選択すると、図５に示す着信履歴の一覧が表示される（この状態でユーザが特定のキー操作を行うことにより、発信履歴の一覧を見ることも可能である）。図５において、着信履歴として「中西安弘」、「えみちゃん」、「佐崎英男」、「０９０ＸＸＸＸＸＸＸＸ」の４人の相手先と着信があった日付及び時間が表示される。又、カーソルも表示されており、図５では、「えみちゃん」の項目にカーソル（太線部分）が表示されている。尚、４件目は０９０で始まる電話番号が表示されているが、この電話番号に対応する相手先の氏名が電話帳メモリに格納されていない場合に、このような表示がなされる。
図５に示す「えみちゃん」にカーソルが位置する状態で、ユーザが入力部４４から決定操作を行うと、ディスプレイ４４の表示は、図６に示す表示に切り替わる。図６では、ユーザに暗証番号の入力を促す表示（例えば、例えば、電話帳制限されています。暗証番号を入力して下さい。)が表示される。
この状態で、図７に示すようにユーザが正しい暗証番号（例えば、「１２３３」）を入力すると、ディスプレイ４４の表示は図８に示す表示に切り替わり、ディスプレイ４４には、「発呼制限を解除しました」というメッセージが表示される。続いて、ディスプレイ４４の表示は図９に示すような電話番号の発信画面になり。図９では、図５で選択された「えみちゃん」の氏名（ここではあだ名であるが）と電話番号（０９００００１２３４５）が表示され、ユーザが発信操作を行うと、「えみちゃん」の電話番号に発呼が行われる。
【００２４】
次に、以上説明した動作を、制御回路３６の動作に基づいて以下に説明する。図１０は、本実施例装置の動作を示すフロー図である。
【００２５】
図１０のＳ１ステップにおいて、制御回路３６は入力部４４から着信履歴の表示を指示する操作があると判定すると、Ｓ２ステップへ処理を進める。Ｓ２ステップでは、制御回路３６は、入力部から相手先の選択操作があると判定するとＳ４ステップへ処理を進め、そうでなければＳ３ステップへ処理を進める。尚、ここでいう相手先の選択操作とは、図５に示す着信履歴の相手先をカーソルの移動により選択することを示している。
【００２６】
Ｓ３ステップでは、制御回路３６は、入力部４４から着信履歴表示の終了を指示する操作があると判定すると処理を終了し、そうでなければＳ２ステップへ処理を戻す。
【００２７】
Ｓ４ステップでは、制御回路３６は、ディスプレイ４２に表示するカーソルを前記Ｓ２ステップの操作に基づいて移動表示させる。
【００２８】
Ｓ５ステップでは、制御回路３６は、入力部４４から相手先の選択を指示する操作があると判定するとＳ６ステップへ処理を進め、そうでなければＳ２ステップへ処理を戻す。
【００２９】
Ｓ６ステップでは、制御回路３６は、ディスプレイ４２に暗証番号の入力を促す表示をさせ、Ｓ７ステップへ処理を進める。尚、ここでいう暗証番号の入力を促す表示とは、図６に示す表示画面を意味している。
【００３０】
Ｓ７ステップでは、制御回路３６は、入力部４４から正しい暗証番号の入力操作があると判定するとＳ９ステップへ処理を進め、そうでなければＳ８ステップへ処理を進める。
【００３１】
Ｓ８ステップでは、制御回路３６は、ディスプレイ４２にエラー表示（例えば、暗証番号が違います）を行い、処理を終了する。
【００３２】
Ｓ９ステップでは、制御回路３６は、ディスプレイ４２に発呼制限を解除した旨の表示を行い、Ｓ１０ステップへ処理を進める。尚、このときの表示画面は図８に示す表示画面に対応している。
【００３３】
Ｓ１０ステップでは、制御回路３６は、ディスプレイ４２に発信を行う為の画面を表示し、Ｓ１１ステップへ処理を進める。尚、このときの表示は図９に示す表示画面に対応している。
【００３４】
Ｓ１１ステップでは、制御回路３６は、入力部４４から発呼操作があると判定すると、Ｓ１２ステップへ処理を進め、そうでなければＳ１３ステップへ処理を進める。
Ｓ１２ステップでは、制御回路３６は、前記Ｓ１０ステップで表示している相手先への発呼が行われる。より具体的には、ディスプレイ４２に表示されている相手先に対応する電話番号のデータをＲＡＭ４０から読み込み、通信部１２とベースバンド部１４を制御することにより読み込んだ電話番号を発信する。
【００３５】
Ｓ１３ステップでは、制御回路３６は、入力部４４から終了操作があると判定すると処理を終了し、そうでなければＳ１１ステップへ処理を戻す。
【００３６】
尚、本実施例では、着信履歴として相手先の名字と名前が表示される構成としたが、相手先の名字のみを表示する構成、或いは名前のみを表示する構成としても良い。このような構成とすることにより、ユーザは名字或いは名前だけを見るだけでだれからの着呼があったかを識別することが可能であると共に、他人に個人情報を知られることをできるだけ回避することが可能である。
【００３７】
又、着信履歴には相手先の名字や名前ではなくあだなを表示する構成としても良い。そのような構成とすることにより、他人に個人情報を知られることをできるだけ回避することが可能である。但し、このような構成とする際には電話帳メモリには氏名を登録する代わりにあだなを登録するか、或いは氏名とは別にあだなを登録する項目を設ける必要がある。
【００３８】
更に、着信履歴を表示する際に、着信時に受信した電話番号が着信メモリに格納されていなければ相手側の電話番号を表示するのではなく、電話帳メモリに登録されていない相手先からの受信であることを示すメッセージ（例えば、電話帳未登録）を表示する構成としても良いし、電話番号も何も表示しない構成としても良い。
【００３９】
又、電話帳メモリに記憶されている情報を表示しないように設定されている状態で、着信履歴を表示する際に、氏名を表示せずに電話番号のみ表示する構成にし、着信履歴から選択した相手先の電話番号へ発呼する際に発呼を禁止する構成も考えられる。この場合、相手側の電話番号が着信履歴として表示されるために、仮に電話装置を紛失した場合に他のユーザに電話番号を知られてしまうが、その電話装置を用いて着信履歴に記憶されている相手先へ発信が行われるといったことを回避することが可能である。
【図面の簡単な説明】
【００４０】
【図１】本発明を適用してなる実施例装置の斜視図である。
【図２】本実施例装置のブロック図である。
【図３】本実施例装置の表示形態を示す図である。
【図４】本実施例装置の表示形態を示す図である。
【図５】本実施例装置の表示形態を示す図である。
【図６】本実施例装置の表示形態を示す図である。
【図７】本実施例装置の表示形態を示す図である。
【図８】本実施例装置の表示形態を示す図である。
【図９】本実施例装置の表示形態を示す図である。
【図１０】本実施例装置の動作を示すフロー図である。
【符号の説明】
【００４１】
１０      携帯電話装置
３６      制御回路
４０      ＲＯＭ
４２      ディスプレイ
４４      入力部
【図１】
2008131136.tif 000003
【図２】
2008131136.tif 000004
【図３】
2008131136.tif 000005
【図４】
2008131136.tif 000006
【図５】
2008131136.tif 000007
【図６】
2008131136.tif 000008
【図７】
2008131136.tif 000009
【図８】
2008131136.tif 000010
【図９】
2008131136.tif 000011
【図１０】
2008131136.tif 000012